(57)【要約】  【課題】キャンペーン用の表示ラベルまたはメモタック等に使用するラベルであって、積層したラベルを１枚ごとに容易に剥がし取ることができ、かつ貼り付けたラベルを容易に剥がし取ることができる剥離ラベル及びその製造方法を提供する。  【解決手段】表面に所定の表示を施した紙片２の裏側全面に粘着層３が設けられ、該粘着層３による粘着面４の略半分またはそれ以上の面積に被膜層５が施されることにより非粘着面６が形成されたラベル１を粘着面４と非粘着面６とが交互に接着された状態で積層することによって最上層のラベル１から蛇腹状に剥がし取るようにしたものであり、ロール原紙１０の裏側全面に粘着層３を形成した後、該ロール原紙の粘着層３に所定間隔で被膜層として透明ニス５の塗布による非粘着面６を施すことにより製造する。【選択図】図２
2005208096.tif 000002
【特許請求の範囲】
【請求項１】
表面に所定の表示を施した紙片の裏側全面に粘着層が設けられ、該粘着層による粘着面の略半分またはそれ以上の面に被膜層が施されることにより非粘着面が形成されたラベルを前記粘着面と前記非粘着面とが交互に接着された状態で積層することによって最上層のラベルから蛇腹状に剥がし取るようにしたことを特徴とする剥離ラベル。
【請求項２】
前記被膜層は透明ニスであることを特徴とする請求項１記載の剥離ラベル。
【請求項３】
ロール原紙の裏側全面に粘着層を形成した後、該粘着層による粘着面の略半分またはそれ以上の面積に被膜層を施すことにより、該ロール原紙の長手方向に沿って前記粘着面と前記被膜層による非粘着面とを交互に形成し、さらに前記粘着面の半分位置と前記非粘着面の半分位置ごとに切断して分離されたラベルを順次積層することによって前記粘着面と前記非粘着面とが交互に積層され、最上層のラベルから蛇腹状に剥がし取るようにしたことを特徴とする剥離ラベルの製造方法。
【発明の詳細な説明】
【技術分野】
【０００１】
本発明は、積層したラベルを１枚ごとに容易に剥がし取ることができるようにした剥離ラベルに関するものである。
【背景技術】
【０００２】
従来から使用されているラベルにおいて、例えば、あるキャンペーン期間に限定して商品に貼り付けることにより特定のサービス等に関する内容をを表示するようにしたラベルがある。このようなラベルに要求されることは、大量の商品に１枚１枚のラベルを貼り付ける作業が容易であり、また商品に貼り付けられたラベルを剥がす作業が容易であるというように、貼り付ける作業と剥がし取る作業の両面における作業が容易となることである。
【０００３】
このように剥し易いラベルの構成を目的とする従来技術の例として、特許文献１について説明する。この、特許文献１は、「ラベル用紙」と称する発明であって、転着ラベルの剥離を容易にすることを目的とするものである。即ち、配達証或いは配達控証となる剥離ラベルを手袋を装着した状態で剥がすのが困難であることに鑑みて成されたものである。
【０００４】
その構成は、図７または図８に示すように、剥離ラベル３１の下面に担持フィルム３３を挟んで擬似接着層３２と貼着剤層３４とが形成されてなる転着ラベル体３６を剥離紙３７上に貼着して構成されるラベル用紙であり、剥離ラベル３１の端縁部に擬似接着層３２と接着していない非接合縁部３９を形成したことを特徴とするものである。このような構成により非接合縁部３９を摘んで引き剥がすことにより、剥離ラベル３１の一部を容易に分離することができるようにしている。
【０００５】
ところで、この特許文献１のラベル用紙は、図８に示すように、一方向に長いシート状の剥離紙３７上に所定間隔で接合され、剥離ラベル３１毎にミシン線４０により分離可能とされたラベルシート４１を構成するのものである。また、転着ラベル体３６を引き剥がすと、剥離紙３７の滑性面により、図７(ａ）に示すように擬似接着層３２、担持フィルム３３及び貼着剤層３４が剥離紙３７から一体的に分離され、図７(ｂ)に示すように、貼着剤層３４により所要面に接着されることとなる。
【０００６】
従って、上記のように、特許文献１のラベル用紙は、使用時に帯状の剥離紙からミシン線毎に切り離して使用するものであり、本発明が課題とするように、貼り付けを容易とするための要件として、ラベルを積層した構成とし、個々のラベルを上層から剥がしつつ使用するという使用形態とは相違するものである。
【特許文献１】特開平１０−３１９８４７号公報（第１、２頁、図１、４）
【発明の開示】
【発明が解決しようとする課題】
【０００７】
本発明は、上記の事情に鑑みてなされたもので、キャンペーン用の表示ラベルまたはメモタック等に使用するラベルであって、積層したラベルを１枚ごとに容易に剥がし取ることができ、かつ貼り付けたラベルを容易に剥がし取ることができる剥離ラベル及びその製造方法を提供することを目的とする。
【課題を解決するための手段】
【０００８】
上記の目的を達成するために、本発明の請求項１の剥離ラベルは、表面に所定の表示を施した紙片の裏側全面に粘着層が設けられ、該粘着層による粘着面の略半分またはそれ以上の面に被膜層が施されることにより非粘着面が形成されたラベルを前記粘着面と前記非粘着面とが交互に接着された状態で積層することによって最上層のラベルから蛇腹状に剥がし取るようにしたことを特徴とする。
【０００９】
また、本発明の請求項２の剥離ラベルは、請求項１において、前記被膜層は透明ニスであることを特徴とする。
【００１０】
また、本発明の請求項３の剥離ラベルの製造方法は、ロール原紙の裏側全面に粘着層を形成した後、該粘着層による粘着面の略半分またはそれ以上の面積に被膜層を施すことにより、該ロール原紙の長手方向に沿って前記粘着面と前記被膜層による非粘着面とを交互に形成し、さらに前記粘着面の半分位置と前記非粘着面の半分位置ごとに切断して分離されたラベルを順次積層することによって前記粘着面と前記非粘着面とが交互に積層され、最上層のラベルから蛇腹状に剥がし取るようにしたことを特徴とする。
【発明の効果】
【００１１】
上記の構成による本発明の剥離ラベルによれば、ラベルの裏面に粘着面と非粘着面とが交互に積層され、１枚のラベルには略半分またはそれ以上の面積を占める非粘着面が存在する。従って、粘着面のみがラベルの表面に接着されると共に非接着面はラベルの表面に離脱した状態にある。そこで、積層されたラベルの最上層のラベルを剥がし取る作業は、上記のようにラベルの略半分またはそれ以上の面積を占める非粘着面を摘み上げる作業となる。また、積層されたラベルの最上層のラベルを摘み上げると、その下層のラベルは蛇腹状に引き上げられ、屈曲して浮き上がった状態に変形し、次ぎの剥がし取り作業を容易にする。こうして、積層されたラベルから非常に容易な作業によって１枚ごとのラベルを剥がし取ることが可能となる。
【００１２】
また、このようなラベルを商品等に付着したとき、１枚のラベルが粘着面によって接着した残りの略半分またはそれ以上の面積が非粘着面として商品等から遊離した状態にあるため、このラベルを剥がし取る際の作業もまた非常に簡単なものとなる。
【００１３】
また、本発明の製造方法によれば、ロール原紙を利用して製造するものであり、必要数に応じてロール原紙の使用量を調整すればよいため、最初から枚葉のラベルを用いて印刷、裁断、交互配置及び積層をする従来の方法に比較して、小ロットのものが安価で得られるという利点を有する。
【発明を実施するための最良の形態】
【００１４】
以下、本発明の実施例について図面を参照しながら説明する。
【実施例１】
【００１５】
本発明による剥離ラベル１は、図１（説明の便宜上、ラベル１の裏面を上方に向けて図示してある）または図２に示すように、表面に所定の表示を施した紙片２の裏側全面に粘着層３が設けられ、該粘着層３による粘着面４の略半分またはそれ以上の面に被膜層として透明ニス５が施されることにより非粘着面６が形成されたラベル１を粘着面３と非粘着面４とが交互に接着された状態で積層したものである。
【００１６】
このような剥離ラベル１の構成についてより詳細に説明すると、図２に示すように、紙片２の裏側全面に粘着層３が塗布され、粘着面４を形成している。この粘着層３としては、リピート、弱粘着剤、強粘着剤または冷食糊等のように非硬化性の粘着性を有する粘着剤を使用する。
【００１７】
また、上記のような紙片２の裏面に形成した粘着面４の略半分またはそれ以上の面積に透明ニス５等を塗布することにより被膜層が施されている。この透明ニス５は、粘着面４の有する粘着力を消すための糊殺しとしての役割を果たすものである。この糊殺しとしては、粘着面４の表面に塗布して硬化し得る透明ニス５を使用する。ただし、透明ニス５に多少の着色を施すことによって、非粘着面６の範囲を視認できるようにしてもよい。
【００１８】
このような構成により、１枚の紙片２の裏面には粘着層３を露出したことによる粘着面４と透明ニス５を塗布したことによる非粘着面６とが形成されたものとなる。なお、粘着面４の広いほど粘着力が強くなり、非粘着面６が広いほど剥がし取りやすくなるため、所望する粘着力または剥がし易さの加減によって粘着面４と非粘着面６の面積を設定することとなる。
【００１９】
本発明においては、上記のラベル１を多量の商品等に貼り付ける作業に利便となるように、上記のラベル１を積層するのであるが、その際、図１または図２に示すように、それぞれのラベル１の粘着面４と非粘着面６とが交互に接着された状態で積層する。
【００２０】
こうすることによって、最上面のラベル１の非粘着面６を摘み上げると、その下層のラベル１が順次蛇腹状に持ち上げられ（図３参照）、このとき、下層の各ラベル１を上方へ屈曲する変形がなされ、次ぎのラベル１を剥がし取る際には最上層のラベル１の非粘着面６側が浮き上がった状態になるため、ラベル１の端部を摘み上げる作業が容易となる。
【００２１】
なお、本実施例においては、図２に示すように、非粘着面６が粘着面４よりも広く形成されたことによって、各層のラベル１における非粘着面６がラベル１の中央部位において重なり部８を有するように構成されている。このような構成により、最上層のラベル１の端部を持ち上げた際に、下方のラベル１が蛇腹状に変形しやすく、上記のように最上層からのラベル１を剥がし取り易くなる。
【００２２】
また、図２あるいは図３に示すように積層したラベル１、１…を図４に示す専用ケース９に収容し、該専用９ケースの上面の中央に沿って形成した開口部１１から最上層のラベル１の非粘着面６の側を上方へ突出させておくことにより、このラベル１の非粘着面６の端部を摘んで上方に持ち上げることができ、最上層のラベル１がその次ぎの下層のラベル１と完全に分離するまでには、その下層のラベル１の非粘着面６の側が持ち上げられて専用ケース９の開口部１１から上方へ湾曲した状態で突出し、ラベル１の端部が浮き上がった状態で、次ぎの剥がし取り作業の待機状態となる。
【実施例２】
【００２３】
本発明の剥離ラベルを製造するには、図５に示すように、ロール原紙１０の裏側全面に粘着層３を形成した後、該ロール原紙１０の粘着層３に所定間隔で被膜層５として透明ニス５を塗布よることにより、図６に示すように、ロール原紙１０の長手方向に沿って粘着面４と非粘着面６とを交互に形成する。
【００２４】
このような透明ニス５の塗布においては、図６に示すように、帯状のロール原紙１０の長手方向に沿って、透明ニス５の塗布面（非粘着面６）を粘着面４よりも広い間隔で取るようにして、非粘着面６の長さが粘着面４の長さよりも長くなるようにし、次いで切断加工（図５参照）において、粘着面４の半分位置と非粘着面６の半分位置ごとに等分位置Ａで切断（切断線７）して不図示の積層機にかけることにより、図１に示すように順次積層することによって、図１または図２に示すように粘着面４と非粘着面６とが交互に位置する積層状態となる。
【００２５】
このような剥離ラベルの製造方法は、ロール原紙を利用して製造するものであり、従来は、最初から枚葉のラベルに判を用いて印刷し、これを個々のラベルに裁断し、さらに交互に配置して積層するという方法を用いていたため、大ロットでなければ単価が見合わなかったのに対して、ラベルの必要数に応じてロール原紙の使用量を調整することによって所望数のラベルが自由に製造できるため、小ロットのものが安価で得られるという利点を有する。
【産業上の利用可能性】
【００２６】
本発明の剥離ラベルは、積層したラベルを容易に剥ぎ取ることができるようにした剥離ラベルに関するものであり、キャンペーン用の表示ラベルまたはメモタック等に使用して、積層状態からの剥がし取り作業と商品への貼り付け作業、さらには商品からの剥がし取り作業を容易に行うことができる剥離ラベルとして利用することができる。
【００２７】
また、本発明の剥離ラベルの製造方法は、ロール原紙を利用することによって、小ロットのものを安価で製造し得る剥離ラベルの製造方法として利用することができる。
【図面の簡単な説明】
【００２８】
【図１】本発明の剥離ラベルにおける個々のラベルを分離して斜めに重ねた状態を示す平面図である。
【図２】本発明による剥離ラベルの積層状態を断面で示す断面図である。
【図３】本発明による剥離ラベルの積層状態から最上層のラベルを摘み上げた状態を示す側面図である。
【図４】本発明の剥離ラベルを積層したものを専用ケースに収容して上部の開口から取り出す状況を示す斜視図である。
【図５】本発明の剥離ラベルの製造方法を示す概略図である。
【図６】本発明の剥離ラベルをラベル状に切断する前のロール原紙の状況を示す平面図である。
【図７】（ａ）は特許文献１に関するラベル用紙の断面図であり、（ｂ）はそのラベルを貼り付けた状態を示す断面図である。
【図８】特許文献１に関するラベル用紙を帯状の剥離紙から剥がし取る前の状況を示す平面図である。
【符号の説明】
【００２９】
１…剥離ラベルまたはラベル
２…紙片
３…粘着層
４…粘着面
５…透明ニス
６…非粘着面
７…切断線
８…重なり部
９…専用ケース
１０…ロール原紙
１１…開口部
【図１】
2005208096.tif 000003
【図２】
2005208096.tif 000004
【図３】
2005208096.tif 000005
【図４】
2005208096.tif 000006
【図５】
2005208096.tif 000007
【図６】
2005208096.tif 000008
【図７】
2005208096.tif 000009
【図８】
2005208096.tif 000010